(57)【要約】【課題】双方向通信インタフェースを介して、音声／映像を再生する複数の機器が接続されている場合に、接続された機器が保持する必要情報を取得して、映像および音声の出力仕様を、共通に設定できる音声／映像信号送信装置に関する。【解決手段】この発明の１つの実施形態を含む音声／映像信号送信装置１は、任意のフォーマットで音声／映像データを再生可能な第１の音声／映像再生装置と、任意のフォーマットで音声／映像データを再生可能な第２の音声／映像再生装置から、個々の再生装置が再生可能な音声／映像データのフォーマットを取得するホットプラグ検出部２１１と、取得された個々の再生装置が再生可能な音声／映像データのフォーマットのうちの共通のフォーマットを抽出する設定処理部２１３と、抽出された共通のフォーマットに従い、第１の音声／映像再生装置と第２の音声／映像再生装置とに向けて、再生対象の音声／映像データを供給する出力信号処理部１０１と、を含む。【選択図】  図１
2007324919.tif 000002
【特許請求の範囲】
【請求項１】
任意のフォーマットで音声データおよび映像データを再生可能な第１の音声および映像再生装置ならびに任意のフォーマットで音声データおよび映像データを再生可能な第２の音声および映像再生装置から、それぞれの再生装置が再生可能な前記音声データおよび前記映像データのフォーマットを取得する手段と、
前記取得する手段により取得された前記それぞれの再生装置が再生可能な前記音声データおよび前記映像データのフォーマットのうちの共通のフォーマットを抽出する手段と、
前記抽出する手段により抽出された前記共通のフォーマットに従い、前記第１の音声および映像再生装置ならびに前記第２の音声および映像再生装置に向けて、再生対象の音声データおよび映像データを供給する手段と、
を有する音声および映像信号送信装置。
【請求項２】
前記取得する手段、前記抽出する手段および前記供給する手段は、所定の規格の双方向通信インタフェースを介して前記第１および第２の音声および映像再生装置と接続されることを特徴とする請求項１記載の映像信号送信装置。
【請求項３】
前記双方向通信インタフェースは、ＨＤＭＩインタフェースを含む特徴とする請求項２記載の映像信号送信装置。
【請求項４】
前記取得する手段、前記抽出する手段および前記供給する手段を通して前記第１および第２の音声および映像再生装置に指示される出力仕様は、音声フォーマットおよび解像度であることを特徴とする請求項１ないし３のいずれかに記載の音声および映像信号送信装置。
【請求項５】
前記取得する手段および前記抽出する手段により得られた前記第１および第２の音声および映像再生装置の情報ならびに前記供給する手段から前記第１および第２の音声および映像再生装置に供給される前記音声データおよび前記映像データのフォーマットを記憶する手段をさらに含むことを特徴とする請求項１記載の音声および映像信号送信装置。
【請求項６】
前記取得する手段および前記抽出する手段により得られた前記第１および第２の音声および映像再生装置の情報が、前記記憶する手段に記憶されている情報と一致する場合は、前記記憶する手段に記憶されているフォーマットの前記音声データおよび前記映像データを前記第１および第２の音声および映像再生装置に供給することを特徴とする請求項５記載の音声および映像信号送信装置。
【請求項７】
任意のフォーマットで音声データおよび映像データを再生可能な第１の音声および映像再生装置が再生可能な音声フォーマットおよび映像フォーマットを取得し、
任意のフォーマットで音声データおよび映像データを再生可能な第２の音声および映像再生装置が再生可能な音声フォーマットおよび映像フォーマットを取得し、
それぞれの再生装置が再生可能な音声フォーマットおよび映像フォーマットのうちの共通のフォーマットを抽出し、
抽出された共通のフォーマットに従い、それぞれの再生装置に向けて、再生対象の音声データおよび映像データを供給し、
供給した音声データのフォーマットおよび映像データのフォーマットを保持する
ことを特徴とする音声および映像信号送信装置の信号処理方法。
【請求項８】
抽出された共通のフォーマットが既に保持されている場合、それぞれの再生装置に向けて、保持されているフォーマット形式の音声データおよび映像データを供給することを特徴とする請求項７記載の音声および映像信号送信装置の信号処理方法。
【請求項９】
音声および映像再生装置の１つが選択された場合、選択された装置が再生可能な最も上位のフォーマット形式の音声データおよび映像データを供給することを特徴とする請求項７記載の音声および映像信号送信装置の信号処理方法。
【発明の詳細な説明】
【技術分野】
【０００１】
この発明は、双方向通信インタフェースを介して音声および映像を再生する複数の機器が接続されている場合に、接続された機器が保持する必要情報を取得して、解像度（映像仕様）および音声フォーマット（音声仕様）の出力仕様を、共通に設定できる音声および映像信号送信装置ならびに信号処理方法に関する。
【背景技術】
【０００２】
双方向通信インタフェースを介して音声および映像を再生する複数の機器が接続可能な映像情報再生装置、例えばデジタルビデオレコーダが広く普及している。
【０００３】
なお、接続されているデジタルビデオレコーダの有無、あるいは新たに追加接続された装置、もしくは接続が解除された装置は、ホットプラグ検出方式により、逐次、検出される。
【０００４】
特許文献１には、接続されている機器を検出して映像をその機器に対応する形式で出力する分配装置が示されている。
【特許文献１】特開２００１−３５６７５２
【発明の開示】
【発明が解決しようとする課題】
【０００５】
しかしながら、上記文献１に示された構造によっても、音声データを再生するための音声フォーマットは、検出できない。また、複数の機器が接続されている場合に、任意の機器を特定し、特定された機器が再生可能な上位のフォーマットを優先させることは、今日でも、自動化されていない。
【０００６】
この発明の目的は、双方向通信インタフェースを介して音声および映像を再生する複数の機器が接続されている場合に、接続された機器が保持する必要情報を取得して、解像度（映像仕様）および音声フォーマット（音声仕様）の出力仕様を、共通に設定できる音声および映像信号送信装置を提供するものである。
【課題を解決するための手段】
【０００７】
この発明は、上記問題点に基づきなされたもので、任意のフォーマットで音声データおよび映像データを再生可能な第１の音声および映像再生装置ならびに任意のフォーマットで音声データおよび映像データを再生可能な第２の音声および映像再生装置から、それぞれの再生装置が再生可能な前記音声データおよび前記映像データのフォーマットを取得する手段と、前記取得する手段により取得された前記それぞれの再生装置が再生可能な前記音声データおよび前記映像データのフォーマットのうちの共通のフォーマットを抽出する手段と、前記抽出する手段により抽出された前記共通のフォーマットに従い、前記第１の音声および映像再生装置ならびに前記第２の音声および映像再生装置に向けて、再生対象の音声データおよび映像データを供給する手段と、を有する音声および映像信号送信装置を提供するものである。
【発明の効果】
【０００８】
この発明の実施の形態においては、ソース機器にＨＤＭＩ接続されたシンク機器が複数存在する場合、接続された個々の機器のＥＤＩＤに基づいて、解像度（映像仕様）および音声フォーマット（音声仕様）の出力仕様を、個々のシンク機器に共通に、自動的に設定できる。
【０００９】
また、この発明によれば、ソース機器にＨＤＭＩ接続されたシンク機器が複数存在する場合であって、特定のシンク機器のみの出力仕様を設定する場合、出力仕様を設定したい機器のみが接続された状態を、ソース機器に認識させることで、接続されたシンク機器の上位の映像仕様（解像度）および音声仕様（音声フォーマット）が自動的に設定される。
【発明を実施するための最良の形態】
【００１０】
以下、図面を参照して、本発明の実施の形態の一例について、デジタルビデオレコーダを例に説明する。なお、本発明による映像・音声信号再生装置には、たとえばパーソナルコンピュータ（ＰＣ）なども該当し、記録メディア（記録媒体）に記録される情報としては、ドキュメント情報などであってもよいことはいうまでもない。また、映像・音声信号再生装置は、接続されるＴＶモニタ装置に対しては、信号伝送装置（送信装置）としての機能を提供することから、映像・音声信号送信装置と呼ばれることもある。
【００１１】
図１に、複数のＨＤＭＩ出力端子を備えた映像・音声信号再生装置（ビデオレコーダ）の概略ブロック図を示す。
【００１２】
図１に示す映像・音声信号再生装置１は、例えばＤＶＤ規格の光ディスクＭに、ビデオファイルを構築できるディスクドライブ部１００１を有する。光ディスクＭは、例えばＣＤ規格であってもよく、または現行のＤＶＤ規格の光ディスクに比較してさらに記録容量が高められているＨＤ（High-Definition）  ＤＶＤ規格やBlu-Ray （ブルーレイ）規格のディスクであってもよいことはいうまでもない。
【００１３】
ディスクドライブ部１００１は、詳述しないが、光ディスクＭを所定速度で回転させる回転制御系、光ディスクＭの記録面に情報を記録し、あるいは光ディスクＭに記録されている情報を再生するための所定波長のレーザ光を照射するレーザ駆動系およびそのレーザ光を案内するレーザ光学系などを有する。
【００１４】
ビデオレコーダ１はまた、ハードディスク装置（以下、ＨＤＤと示す）２００１に収容されているハードディスクＨＤに対しても、同様にビデオファイルを構築できる。
【００１５】
ディスクドライブ部１００１に装填された光ディスクＭまたはＨＤＤ２００１のハードディスクＨＤに記録すべきデータ（記録データ）は、データプロセッサ部１１の制御により、（予め指定された）記録媒体（光ディスクＭあるいはハードディスクＨＤ）に記録される。また、データプロセッサ部１１の制御により、ディスクドライブ部１００１の光ディスクＭまたはＨＤＤ２００１のハードディスクＨＤから、記録されているデータが読み出される（再生データが得られる）。
【００１６】
データプロセッサ部１１は、記録データまたは再生データを、所定の単位として取り扱うもので、バッファ回路、変調・復調回路、エラー訂正部などを含む。
【００１７】
ビデオレコーダ１はまた、入力情報を記録するためのデータ処理部であるエンコーダ部５０、既に記録されているデータを再生するためのデータ処理部であるデコーダ部６０、およびビデオレコーダ１の動作を制御するマイクロコンピュータブロック３０を、主要部として有する。
【００１８】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１９】
エンコーダ部５０の出力は、バッファメモリを含むフォーマッタ５１にて所定のＤＶＤ−ＲＡＭのフォーマットに変換され、先のデータプロセッサ部１１に供給される。
【００２０】
エンコーダ部５０には、ＡＶ入力部４１からの外部アナログビデオ信号と外部アナログオーディオ信号、あるいはＴＶチューナ部４２からのアナログビデオ信号とアナログオーディオ信号が入力される。
【００２１】
なお、エンコーダ部５０は、圧縮されたデジタルビデオ信号やデジタルオーディオ信号が、直接入力される場合は、その圧縮デジタルビデオ信号やデジタルオーディオ信号を、フォーマッタ５１に、直接供給することもできる。また、エンコーダ部５０は、アナログデジタル変換されたデジタルビデオ信号やオーディオ信号を、ビデオミキシング部７１やオーディオセレクタ７６に、直接供給することもできる。
【００２２】
エンコーダ部５０は、図示しないがビデオエンコーダを含み、そのビデオエンコーダにおいて、デジタルビデオ信号が、例えばＭＰＥＧ２またはＭＰＥＧ１規格に基づいた可変ビットレートで圧縮されたデジタルビデオ信号に変換される。また、デジタルオーディオ信号は、例えばＭＰＥＧあるいはＡＣ−３規格に基づいて固定ビットレートで圧縮されたデジタルオーディオ信号、もしくはリニアＰＣＭなどの（非圧縮の）デジタルオーディオ信号に変換される。
【００２３】
副映像信号については、ＡＶ（オーディオ・ビデオ）入力部４１を経由して、（副映像信号が）直接入力される場合（例えば、副映像信号向けの独立した出力端子が設けられているビデオプレーヤからの信号など）、あるいは同等のデータ構成のＤＶＤビデオ信号の放送信号がＴＶチューナ部４２で受信された場合において、ＤＶＤビデオ信号中の副映像信号が、副映像エンコーダでエンコード（ランレングス符号化）されて、副映像のビットマップ（副映像データ）が構築される。
【００２４】
エンコードされたデジタルビデオ信号、デジタルオーディオ信号ならびに副映像データは、フォーマッタ５１において、ビデオパック、オーディオパックおよび副映像パックとしてパック化される。パック化された、ビデオパック、オーディオパックならびに副映像パックは、さらに集合（集約）され、ＤＶＤ−ビデオ規格に規定されているフォーマット（ＤＶＤ  Ｖｉｄｅｏフォーマット）や、ＤＶＤ−レコーディング規格に規定されているフォーマット（ＤＶＤ  ＶＲフォーマット）に変換される。
【００２５】
フォーマッタ５１でフォーマットされた情報（ビデオ、オーディオ、副映像データなどのパック）ならびに（後段に示すが）ＭＰＵ（ＣＰＵ）３１ａにより作成される管理情報（ファイルシステム）は、データプロセッサ部１１を介してＨＤＤ２００１またはディスクドライブ部１００１に供給され、ハードディスクＨＤまたは光ディスクＭに記録することができる。なお、ハードディスクＨＤまたは光ディスクＭに記録された情報は、データプロセッサ部１１を介して、相互に置き換えまたは複製可能である。すなわち、既にハードディスクＨＤに記録されているデータは、光ディスクＭに移動または複製可能で、光ディスクＭに記録されているデータも、ハードディスクＨＤに移動または複製可能である。
【００２６】
また、ハードディスクＨＤあるいは光ディスクＭに記録されているデータ、例えば番組のビデオオブジェクトは、一部または全部の削除や任意数のオブジェクトの合成（接続）という、編集処理も可能である。
【００２７】
なお、エンコーダ部５０のフォーマッタ５１では、データの記録（録画）中、さまざまな切り分け情報が作成され、マイクロコンピュータブロック３０のＭＰＵ（ＣＰＵ）３１ａへ定期的に、送る（ＧＯＰ先頭への割り込み時などの情報）。切り分け情報としては、ＶＯＢＵのパック数、ＶＯＢＵ先頭からのＩピクチャのエンドアドレス、ＶＯＢＵの再生時間などである。
【００２８】
フォーマッタ５１からはまた、ＭＰＵ（ＣＰＵ）３１ａに、アスペクト情報処理部からのアスペクト比情報などが、録画開始時に供給される。この情報に基づいて、ＭＰＵ（ＣＰＵ）３１ａにより、ＶＯＢストリーム情報（ＳＴＩ）が作成される。ＳＴＩは、解像度データ、アスペクトデータなどを含み、再生時には、各デコーダ部において、この情報を元に初期設定される。
【００２９】
データプロセッサ部１１は、エンコーダ部５０のフォーマッタ５１からＶＯＢＵ単位のデータを受け取り、ＣＤＡ単位のデータを、ディスクドライブ部１００１またはＨＤＤ２００１に供給する。また、マイクロコンピュータブロック３０のＭＰＵ（ＣＰＵ）３１ａは、記録したデータを再生するために必要な管理情報を作成し、データの記録が終了したことを示すデータ記録終了コマンドを認識すると、作成した管理情報を、データプロセッサ部１１に送る。
【００３０】
これにより、管理情報が、記録媒体（光ディスクＭまたはハードディスクＨＤ）に記録される。また、ＭＰＵ（ＣＰＵ）３１ａは、記録開始時には、光ディスクＭまたはハードディスクＨＤから読み取った管理情報を認識し、各ディスクの未記録エリアを認識して、データ上の記録エリアを、データプロセッサ部１１を介してディスクに設定する。
【００３１】
マイクロコンピュータブロック３０は、例えばＭＰＵ（マイクロプロセッシングユニット）もしくはＣＰＵ（セントラルプロセッシングユニット）３１ａを含む主制御部３１、ＭＰＵ（ＣＰＵ）３１ａや、情報記録再生装置１のさまざまな要素ならびに制御ブロック等を動作させる制御プログラムなどを保持するＲＯＭ（読出し専用メモリ）３１ｂ、プログラムを実行するために確保すべき所定のワークエリアを提供するＲＡＭ（ランダムアクセスメモリ）３１ｃを、含む。
【００３２】
マイクロコンピュータブロック３０においては、ＲＡＭ３１ｃをワークエリアとして、ＭＰＵ（ＣＰＵ）３１ａによるＲＯＭ３１ｂに格納されている制御プログラムに従った、欠陥場所検出、未記録領域検出、録画情報記録位置設定、ＵＤＦ記録、あるいはＡＶアドレス設定などが実行される。
【００３３】
また、マイクロコンピュータブロック３０は、ディレクトリ検出部３２や、詳述しないが、ＶＭＧ情報（全体のビデオ管理情報）作成部、コピー（複製）関連情報検知部、コピー（複製）／スクランブリング情報処理部（ＲＤＩ処理部）、パケットヘッダ処理部、シーケンスヘッダ処理部、ならびにアスペクト比情報処理部などを備える。マイクロコンピュータブロック３０は、情報（データ）の記録（録画）を実行する際の録画時の管理情報制御部（以下、録画管理制御部とする）３３、および記録済みデータの編集を実行する際の編集時の管理情報制御部（以下、編集管理制御部）３４を備える。本発明が特徴としている手段は、制御プログラムの形で、この編集を実行する際の管理情報の制御部３４および録画を実行する際の管理情報の制御部３３で実行される。
【００３４】
ＭＰＵ（ＣＰＵ）３１ａの実行結果のうち、ユーザに通知すべき内容は、情報記録再生装置１の表示部４３、または（後述するが、外部機器として接続される）モニタ装置に、ＯＳＤ（オンスクリーンディスプレイ）表示される。
【００３５】
また、マイクロコンピュータブロック３０は、装置１を動作させるためのユーザからの制御信号、すなわち操作信号を（マイクロコンピュータブロック３０に）入力可能とするキー入力部４４を有する。キー入力部４４は、記録再生装置１の任意の位置に設けられる操作スイッチ類や、図示しないがリモコン受信部を経由して、操作信号を入力可能な図示しないリモコン装置に相当する。なお、キー入力部４４は、記録再生装置１と、有線あるいは無線もしく光（赤外線を含む）などにより、制御信号の入力を可能とするパーソナルコンピュータであってもよい。すなわち、キー入力部４４がいずれの形態であるにせよ、ユーザがキー入力部４４を操作することにより、入力された映像音声信号の録画処理や、録画されたコンテンツの再生処理、あるいは録画されたコンテンツに対する編集処理などが実行される。
【００３６】
なお、マイクロコンピュータブロック３０が、ディスクドライブ部１００１、ＨＤＤ２００１、データプロセッサ部１１、エンコーダ部５０、デコーダ部６０などを制御するタイミングは、ＳＴＣ（システムタイムクロック）３８からの時間データに基づく。録画や再生の動作は、通常はＳＴＣ３８からのタイムクロックに同期して実行される。但し、それ以外の処理は、ＳＴＣ３８とは、独立したタイミングで実行されてもよい。
【００３７】
デコーダ部６０は、デコードされた主映像に、デコードされた副映像を、所定のタイミングで合成し、（主映像に、）メニュー、ハイライトボタン、字幕（音声の文字表示）、その他の副映像を重ねて出力するビデオプロセッサを備える。なお、デコード部６０は、詳述しないが、パック構造が与えられているＤＶＤフォーマットの信号からそれぞれのパックを分離して取り出すセパレータ、パックの分離やその他の信号処理において利用されるメモリ、セパレータで分離された主映像データ（ビデオパックの内容）をデコードするＶデコーダ、セパレータで分離された副映像データ（副映像パックの内容）をデコードするＳＰデコーダ、およびセパレータで分離されたオーディオデータ（オーディオパックの内容）をデコードするＡデコーダなどを含む。
【００３８】
デコーダ部６０には、後段に詳述するが、デコードされた音声データと映像データを、後段に説明する入出力部３０１を介して装置１に接続される任意数の出力装置（sink（シンク）機器やrepeater（リピータ）機器）に出力する際の出力形式を設定する出力信号処理部１０１が接続されている。なお、シンク（sink）機器やリピータ（repeater）機器）は、例えばＨＤＭＩ（インタフェース）規格やＤＶＩ（インタフェース）規格において「ホットプラグ検出」により、装着の有無が検出可能な装置の呼称であり、シンク機器としては、ＴＶモニタ装置（テレビ受像器）や映像／画像表示装置が、リピータ機器としては、ＡＶ（オーディオＶｉｄｅｏ）アンプや、サーバとして利用されているパーソナルコンピュータの記憶装置などが、属する。
【００３９】
出力信号処理部１０１は、デコードされた音声データから「フォーマット情報」を取得（抽出）する音声フォーマット設定部１１１、デコードされた映像データから「解像度情報」を（抽出）する解像度設定部１１２とを有し、図２を用いて後段で説明するが、例えばEIA/CEA-861Bに準拠して規定されているファイル情報６０１の所定領域に記録されている「オーディオデータブロック（Audio Data Block）」６２１および「ビデオデータブロック（Video Data Block）」６１１から、それぞれ、「オーディオフォーマットコード（Audio Format Codes）」および「ビデオ識別（アイデンティフィケーション）コード（Video Identification Codes）」を取得する。
【００４０】
出力信号処理部１０１には、「ホットプラグ検出」により、装着の有無を検出するための検出／判定部２０１が接続されている。なお、検出／判定部２０１は、「ホットプラグ検出」が可能な装置が接続されたこと／既に接続されていることを検出するホットプラグ検出部２１１、ホットプラグ検出部２１１により検出された任意数の装置から取得された個々の出力装置に固有の個別識別情報（ＥＤＩＤ（Extended Display Identification Data））」をデコードするＥＤＩＤデコード部２１２、ＥＤＩＤデコード部２１２にてデコードされた結果、すなわち取得したＥＤＩＤデータに基づいて、入出力部３０１に出力すべき音声データのフォーマットおよび映像データの解像度を設定する設定処理部２１３を有する。
【００４１】
なお、出力信号処理部１０１に接続される入出力部３０１は、（「ホットプラグ検出」により検出された）任意数の出力装置に音声フォーマットおよび解像度が設定された音声データおよび映像データを供給することができる所定数のＨＤＭＩ端子（transmitter）３１１，３２１，・・・，３ｎ１（ｎは自然数）を有する。それぞれのＨＤＭＩ端子３１１，３２１，・・・，３ｎ１には、ＨＤＭＩケーブル１，２，・・・，ｎ（ｎは自然数）により、例えばＴＶモニタ装置Ａ，ＴＶモニタ装置Ｂ，ＴＶモニタ装置Ｃ，・・・，（ホットプラグ検出可能な）リピータ（ＡＶアンプ）Ｎなどが、任意に接続される。
【００４２】
上述した映像・音声信号送信装置１においては、ＨＤＭＩ接続されている複数のシンク機器またはリピータ機器、例えばＴＶモニタ装置Ａ，ＴＶモニタ装置Ｂ，ＴＶモニタ装置Ｃ，・・・，ＡＶアンプ）Ｎのそれぞれが検出／判定部２０１（ホットプラグ検出部２１１）により「ホットプラグ検出」されると、検出されたシンク機器またはリピータ機器のＥＤＩＤが取得される。検出されたＥＤＩＤは、ＥＤＩＤデコード部２１２によりデコードされ、シンク機器またはリピータ機器の情報が取得される。なお、デコードにより得られる情報としては、個々のシンク機器またはリピータ機器が再生（音声出力）可能な音声フォーマットの種別（Ａｕｄｉｏ情報）や、個々のシンク機器またはリピータ機器が表示（映像出力）可能な解像度（Ｖｉｄｅｏ情報）に加え、製造者識別（Manufacture ID）、製品（製造物）識別（Product ID）、製造番号（Serial Number）なども含まれる。
【００４３】
検出／判定部２０１による「ホットプラグ検出」により、ＨＤＭＩ接続されている複数のシンク機器またはリピータ機器の少なくとも上述の音声フォーマットと解像度が検出されると、設定処理部２１３により、装置１（シンク機器やリピータ機器に対して、ソース（source）機器と呼称される）から出力される音声データ（フォーマット）と映像データ（解像度）とが比較され、総てのシンク機器またはリピータ機器に共通するフォーマットあるいは解像度が存在するか否かがチェックされる。
【００４４】
例えば、チェックされた各シンク機器またはリピータ機器が対応する音声フォーマットが、図５に示すように、少なくとも「リニアＰＣＭ」を含む場合、設定処理部２１３から出力信号処理部１０１には、『音声フォーマット→［リニアＰＣＭ］』が、設定（指示）される。なお、後段に説明するが、ユーザによる切替指示により、例えば「ＤＴＳ」が選択された場合には、ＴＶモニタ装置ＡとＴＶモニタ装置Ｂでは、音声が、正しく再生できないことになる。
【００４５】
例えば、チェックされた各シンク機器またはリピータ機器が対応可能な映像出力（解像度）が、図４に示すように、少なくとも「４８０ｐ（５２５ｐ）」もしくは「１０８０ｉ（１１２５ｉ）」を含む場合、設定処理部２１３から出力信号処理部１０１には、通常、解像度の高い『出力解像度→「１０８０ｉ（１１２５ｉ）」』が、設定（指示）される。なお、後段に説明するユーザからの切替指示により、「４８０ｐ（５２５ｐ）」に変更できる。反面、ユーザの指示により、「１０８０ｐ（１１２５ｐ）」が選択された場合は、ＴＶモニタＢとＴＶモニタＣでは、正しい映像が表示されないことになる。
【００４６】
より詳細には、図３に示す通り、複数のＨＤＭＩ出力端子を備えた映像・音声信号送信装置から、ホットプラグ検出可能に接続された任意数のシンク機器またはリピート機器に出力すべき音声フォーマット（Ａｕｄｉｏ情報）および解像度（Ｖｉｄｅｏ情報）を設定するための処理手順は、    
ソース機器（映像・音声信号送信装置１）が起動されると、入出力部３０１にＨＤＭＩ接続されているシンク機器またはリピータ機器の有無がホットプラグ検出され（Ｓ１）、２以上のシンク機器またはリピータ機器が検出された場合（Ｓ２−Ｙｅｓ）、それぞれの機器のＥＤＩＤが、ホットプラグ検出部２１１（検出／判定部２０１）により取得される（Ｓ３）。
【００４７】
取得されたＥＤＩＤは、ＥＤＩＤデコード部２１２によりデコードされる。このとき、デコードされたＥＤＩＤから、必要情報として、少なくとも再生可能な音声フォーマット（Ａｕｄｉｏ情報）と解像度（Ｖｉｄｅｏ情報）が抽出（取得）される。なお、必要情報として、製造者識別（Manufacture ID）、製品（製造物）識別（Product ID）、製造番号（Serial Number）を合わせて取得（抽出）される（Ｓ４）。
【００４８】
ステップＳ４で取得された音声フォーマット（Ａｕｄｉｏ情報）と解像度（Ｖｉｄｅｏ情報）を含む必要情報は、映像・音声信号送信装置１の記憶部４０１の、例えば不揮発性メモリ（ＮＶＲＡＭ）に記憶される。
【００４９】
ステップＳ４にて各接続機器から抽出され、ステップＳ５にて記憶部に格納された情報から、接続されている任意数の機器の組み合わせが以前にもあったか否か、が確認（チェック）される（Ｓ６）。
【００５０】
ステップＳ６において、接続されている機器の組み合わせが新規である（以前に無い）ことが確認（チェック）された場合（Ｓ６−Ｎｏ）には、各接続機器が対応可能で共通しているフォーマット、すなわち解像度（Ｖｉｄｅｏ）および音声フォーマット（Ａｕｄｉｏ）が抽出され、出力される（Ｓ７）。これに対し、ステップＳ６において、接続されている機器の組み合わせが以前にもある（存在する）ことが検知（確認）された場合（Ｓ６−Ｙｅｓ）には、前回と同じ設定（設定値）が出力される（Ｓ８）。これにより、１台のＨＤＭＩ端子を有するソース機器を用いて、リピータ機器なしに、複数のモニタ装置による映像ソフト（あるいはコンテンツ）が同時に視聴可能になる。また、ユーザは、複数のシンク機器が対応できる映像仕様（解像度）や音声出力方式（音声フォーマット）を、気にすることなく、視聴することができる。
【００５１】
なお、ステップＳ７において新たに確認された組み合わせ、並びにステップ６−ＹｅｓおよびステップＳ８において維持された組み合わせ、すなわち映像仕様（解像度）と音声出力方式（音声フォーマット）は、記憶部４０１に格納される（Ｓ９）。以下、ＨＤＭＩ端末を有する送信機器１の「ホットプラグ検出」に変化があるか否か、すなわち新たにホットプラグ検出可能な機器が接続されたことや、既に接続されていたホットプラグ検出可能な機器が取り外されたことが、常時モニタ（監視）され（Ｓ１０）、変化があった場合は、ステップＳ１から順に、再度、必要情報が抽出され、映像仕様（解像度）や音声出力方式（音声フォーマット）が設定される。
【００５２】
また、上述の通り、ステップＳ９において、最終的な出力（送信）設定や、ＥＤＩＤのデコード結果（各シンク機器のＶｉｄｅｏ情報，等）を、記憶部４０１に保持することにより、次回、セット（装置１）を起動した際に、同じ機器が接続されていた場合は前回の設定をそのまま用いることができる。
【００５３】
なお、例えば出力信号処理部１０１に出力される『出力解像度（映像仕様）』については、図４に示すように、少なくとも「４８０ｐ（５２５ｐ）」と「１０８０ｉ（１１２５ｉ）」が選択可能であるから、ユーザによるキー入力部４４からの選択指示（入力）に対応したユーザ制御部５０１の制御により、いずれかに、変更（切換）可能である。
【００５４】
一方、ステップ２において、接続されたことが「ホットプラグ検出」により検出されたシンク機器またはリピータ機器が１である場合（Ｓ２−Ｎｏ）、接続が検出された（単独の）機器のＥＤＩＤがホットプラグ検出部２１１により抽出され（Ｓ１１）、抽出されたＥＤＩＤがデコードされ（Ｓ１２）、記憶部４０１に格納される（Ｓ１３）。
【００５５】
ステップＳ１３にて記憶部に格納された情報は、以前に接続されたＨＤＭＩ機器であるか否かが、確認（チェック）される（Ｓ１４）。
【００５６】
ステップＳ１４において、以前に接続されたことが無い機器であることが確認（チェック）された場合（Ｓ１４−Ｎｏ）、その機器が対応可能で共通しているフォーマット、すなわち解像度（Ｖｉｄｅｏ）および音声フォーマット（Ａｕｄｉｏ）が抽出され、出力される（Ｓ１５）。一方、ステップＳ１４において、接続された機器が以前から接続されている機器であることが検知（確認）された場合（Ｓ１４−Ｙｅｓ）には、前回と同じ設定（設定値）が出力される（Ｓ１５）。
【００５７】
従って、ＨＤＭＩ端子を有するソース機器にシンク機器、例えばＴＶモニタ装置を接続するのみにより、映像ソフト（あるいはコンテンツ）を再生するための好適な映像出力仕様（解像度）や音声出力方式（音声フォーマット）が、自動的に設定される。なお、ＨＤＭＩ接続されている機器が１である場合には、出力信号処理部１０１に出力される『出力解像度（映像仕様）』および『音声フォーマット（音声出力仕様）』については、ユーザによるキー入力部４４からの選択指示（入力）に対応したユーザ制御部５０１の制御により、任意に変更（切換）可能であることはいうまでもない。
【００５８】
なお、ステップＳ１６において検出された機器への送信設定、並びにステップ１４およびステップＳ１５において維持された送信設定、すなわち映像出力仕様（解像度）と音声出力方式（音声フォーマット）は、記憶部４０１に格納される（Ｓ１７）。
【００５９】
以下、ＨＤＭＩ端末を有する送信機器１の「ホットプラグ検出」に変化があるか否か、すなわち新たにホットプラグ検出可能な機器が接続されたことや、既に接続されていたホットプラグ検出可能な機器が取り外されたことが、常時モニタ（監視）され（Ｓ１０）、変化があった場合は、ステップＳ１から順に、再度、必要情報が抽出され、映像仕様（解像度）や音声出力方式（音声フォーマット）が設定される。
【００６０】
なお、ステップＳ１０（およびステップＳ１からの繰り返しルーチンにより）、ホットプラグ検出可能な装置の着脱あるいは、ユーザによる切替指示の入力の有無を常時モニタ（監視）することにより、（例えば、ユーザが出力対象となるシンク装置として、）ＴＶモニタ装置１のみを選択するための指示を入力した場合には、図４に示した例では、出力解像度が自動的に「１０８０ｐ（１１２５ｐ）」に切替えられることを示している。
【００６１】
また、上述の通り、ステップＳ１７において、最終的な出力（送信）設定や、ＥＤＩＤのデコード結果（各シンク機器のＶｉｄｅｏ情報，等）を、記憶部４０１に保持することにより、次回、セット（装置１）を起動した際に、同じ機器が接続されていた場合は前回の設定をそのまま用いることができる。
【００６２】
図４に、各シンク機器が対応可能な解像度情報から実際に設定する解像度の例を示す。
【００６３】
図４に示すように、出力可能解像度が「４８０ｉ」，「４８０ｐ」，「１０８０ｉ」，「１０８０ｐ」に対応可能なＴＶモニタ装置Ａ、同「４８０ｉ」，「４８０ｐ」，「７２０ｐ」，「１０８０ｉ」に対応可能なＴＶモニタ装置Ｂ、並びに同「４８０ｐ」，「７２０ｐ」，「１０８０ｉ」に対応可能なＴＶモニタ装置Ｃが接続されている場合、３台が共通で対応可能な解像度は、「４８０ｐ」および「１０８０ｉ」であり、通常の自動設定時においては、解像度が高い「１０８０ｉ（１１２５ｉ）」が選択される。
【００６４】
図５に、各シンク機器が対応可能な音声フォーマット情報から実際に設定する音声フォーマット例を示す。
【００６５】
図５に示すように、対応可能な音声出力仕様が「リニアＰＣＭ」のみであるＴＶモニタ装置Ａ、同「リニアＰＣＭ」，「ＡＡＣ（Advanced Audio Coding）」であるＴＶモニタ装置Ｂ、同「リニアＰＣＭ」，「ＡＣ−３（Audio Code number 3）」，「ＡＡＣ」および「ＤＴＳ（Digital Theater System）」であるＴＶモニタ装置Ｃが、接続されている場合、３台が共通で対応可能な音声フォーマットは「リニアＰＣＭ」であり、自動設定時には、「リニアＰＣＭ」が設定される。なお、ユーザが、例えば「ＤＴＳ」を選択した場合、ＴＶモニタ装置ＡおよびＴＶモニタ装置Ｂでは、音声を正しく再生することができない。
【００６６】
以上説明したように、この発明によれば、ソース機器にＨＤＭＩ接続されたシンク機器が複数存在する場合、接続された個々の機器のＥＤＩＤに基づいて、解像度（映像仕様）および音声フォーマット（音声仕様）の出力仕様を、個々のシンク機器に共通に、自動的に設定できる。
【００６７】
また、この発明によれば、ソース機器にＨＤＭＩ接続されたシンク機器が複数存在する場合であって、特定のシンク機器のみの出力仕様を設定する場合、出力仕様を設定したい機器のみが接続された状態を、ソース機器に認識させることで、接続されたシンク機器の上位の映像仕様（解像度）および音声仕様（音声フォーマット）が自動的に設定される。
【００６８】
例えば、図１に示した３セットのＴＶモニタ装置Ａ，Ｂ，Ｃが表示可能な映像仕様が、図４に示すように、「４８０ｐ（５２５ｐ）」と「１０８０ｉ（１１２５ｉ）」を含み、ＴＶモニタ装置Ａは、「１０８０ｐ（１１２５ｐ）を含む場合には、ＴＶモニタ装置Ａを選択することで、「１０８０ｐ（１１２５ｐ）」が映像仕様に選択される。同様に、３台のＴＶモニタ装置Ａ，Ｂ，Ｃが再生可能な音声フォーマットが、図５に示すように、「リニアＰＣＭ」である場合において、ＴＶモニタ装置ＢおよびＴＶモニタ装置Ｃを選択することにより、「リニアＰＣＭ」もしくは「ＡＡＣ」を音声フォーマットとして選択可能となり、ＴＶモニタ装置Ｃのみを選択することで、「ＡＣ−３」あるいは「ＤＴＳ」が選択可能となる。
【００６９】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００７０】
【図１】この発明の実施の形態が適用可能な情報再生装置（映像信号送信装置）の一例を説明する概略図。
【図２】図１に示した映像信号送信装置（情報再生装置）が取得／抽出可能な映像および音声フォーマットを規定する規格におけるファイル情報の一例を説明する概略図。
【図３】図１に示した映像信号送信装置において、接続されている機器が再生可能な映像および音声フォーマットを取得／抽出する方法の一例を説明するフローチャート。
【図４】図１に示した映像信号送信装置において、接続されている機器が再生可能な映像フォーマットとして、取得される仕様の一例を示す概略図。
【図５】図１に示した映像信号送信装置において、接続されている機器が再生可能な音声フォーマットとして、取得される仕様の一例を示す概略図。
【符号の説明】
【００７１】
１…ビデオレコーダ（情報記録再生（送信）装置）、１１…データプロセッサ、３０…マイクロコンピュータブロック（主制御部）、３１…ＭＰＵ（主制御部）、５０…エンコーダ部、６０…デコーダ部、１０１…出力信号処理部、２０１…検出／判定部、３０１…入出力部（ＨＤＭＩインタフェース）、４０１…記憶部、５０１…ユーザ制御部、１００１…ディスクドライブ部、２００１…ハードディスク装置。
【図１】
2007324919.tif 000003
【図２】
2007324919.tif 000004
【図３】
2007324919.tif 000005
【図４】
2007324919.tif 000006
【図５】
2007324919.tif 000007